(57)【要約】【課題】過剰な発汗を抑制する治療を行う際に、簡単に発汗部位を特定し得、その部位に簡単に所定の間隔で薬物投与を行うことができるようにすること。【解決手段】発汗視認機能と所定の間隔で薬物投与を行うことを可能とする貫通孔とをフィルムドレッシングを提供する。フィルム本体１と第一の粘着剤層２とを有してなるフィルムドレッシング本体Ａに対して、粘着面２ａの一部または全部の領域を覆って、吸液性シート３を設ける。皮膚表面に貼付するための粘着面は適宜確保する。該吸液性シート３は、脂取り紙など、汗を吸収し得、該汗が染み込むことで光透過率または光反射率が変化するシートである。当該フィルムドレッシングには、フィルムドレッシング本体Ａと吸液性シート３とを少なくとも貫通する貫通孔Ｈが複数形成されており、発汗部位の特定と薬物投与の位置決めが当該フィルムドレッシングを貼付するだけで可能になっている。【選択図】図１
2014168573.tif 000002
【特許請求の範囲】
【請求項１】
フィルム本体と、該フィルム本体の一方の主面に設けられた第一の粘着剤層とを有してなるフィルムドレッシング本体を有し、さらに、
前記第一の粘着剤層の粘着面の一部の領域には、汗が染み込むことで光透過率または光反射率が変化し、該汗の染み込みを視認し得る吸液性シートが設けられ、該粘着面の残部の領域は、生体の皮膚表面に粘着するための粘着面となっており、
前記フィルムドレッシング本体と吸液性シートとを貫通する貫通孔が、複数形成されており、前記フィルムドレッシング本体を吸液性シートと共に生体の皮膚表面に貼付したときに、該貫通孔内に該皮膚表面が露出するようになっている、
発汗視認機能と貫通孔とを備えたフィルムドレッシング。
【請求項２】
フィルム本体と、該フィルム本体の一方の主面に設けられた第一の粘着剤層とを有してなるフィルムドレッシング本体を有し、さらに、
前記第一の粘着剤層の粘着面の全面には、汗が染み込むことで光透過率または光反射率が変化し、該汗の染み込みを視認し得る吸液性シートが設けられ、
該吸液性シートの外面の一部または全部には、生体の皮膚表面に粘着するための第二の粘着材層が設けられており、該第二の粘着材層は、該皮膚表面に粘着した状態において、該皮膚表面から分泌される汗を吸液性シートに到達させ得るように形成された層であり、
前記フィルムドレッシング本体から第二の粘着材層までを貫通する貫通孔が、複数形成されており、前記フィルムドレッシング本体を吸液性シートと共に生体の皮膚表面に貼付したときに、該貫通孔内に該皮膚表面が露出するようになっている、
発汗視認機能と貫通孔とを備えたフィルムドレッシング。
【請求項３】
吸液性シートの外面の一部または全部には、さらに、生体の皮膚表面に粘着するための第二の粘着材層が設けられており、
該第二の粘着材層は、該皮膚表面に粘着した状態において、該皮膚表面から分泌される汗を吸液性シートに到達させ得るように形成された層であり、
前記フィルムドレッシング本体から第二の粘着材層までを貫通する貫通孔が、複数形成されており、前記フィルムドレッシング本体を吸液性シートと共に生体の皮膚表面に貼付したときに、該貫通孔内に該皮膚表面が露出するようになっている、請求項１記載のフィルムドレッシング。
【請求項４】
吸液性シートが、第一の粘着剤層の粘着面の外周縁部を除く中央領域を覆って設けられている、請求項１または３に記載のフィルムドレッシング。
【請求項５】
吸液性シートが、脂取り紙であるか、または、脂取り紙として使用され得る多孔性シートである、請求項１〜４のいずれか１項に記載のフィルムドレッシング。
【請求項６】
第二の粘着剤層が、下記（Ａ）または（Ｂ）の粘着剤層である、請求項２または３記載のフィルムドレッシング。
（Ａ）該吸液性シートの外面に所定のパターンを描くように粘着剤が設けられ、該外面が該パターンの間に露出しており、その露出した部分において、生体の皮膚表面から分泌される汗が吸液性シートに到達し得るようになっている第二の粘着剤層。
（Ｂ）汗を透過させ得る多孔性組織を有する第二の粘着剤層。
【請求項７】
上記（Ｂ）の多孔性組織を有する第二の粘着剤層が、スプレー塗工にて粘着剤を繊維状にして堆積させた繊維状組織を有する粘着剤層である、請求項６記載のフィルムドレッシング。
【請求項８】
フィルム本体の主面の面積が２０００〜１００００ｍｍ2であって、当該フィルムドレッシングに形成される貫通孔の数が１０〜１５０である、請求項１〜７のいずれか１項に記載のフィルムドレッシング。
【請求項９】
貫通孔の開口形状が、直径４〜２０ｍｍの円形である、請求項１〜８のいずれか１項に記載のフィルムドレッシング。
【請求項１０】
貫通孔が、ボツリヌス毒素製剤を皮内注射するための注射針を通過させるためのものである、請求項１〜９のいずれか１項に記載のフィルムドレッシング。
【請求項１１】
さらに、上記フィルム本体の他方の主面を覆って設けられた剥離可能な裏打ちシートと、当該フィルムドレッシングの粘着面を少なくとも覆って設けられた剥離シートとを有する、請求項１〜１０のいずれか１項に記載のフィルムドレッシング。
【発明の詳細な説明】
【技術分野】
【０００１】
本発明は、多汗症治療などにおいて発汗を抑制するために行なわれる薬物投与、とりわけ皮内注射による薬物投与を、より容易に行うことができるようにするための新規な補助具に関するものである。
【背景技術】
【０００２】
人体は体温調節機能として発汗機能を有するが、発汗は通常の体温調節機能だけでなく、緊張などの心理的ストレスや、感情的な刺激でも生じる。発汗の量には個人差があるが、過剰に発汗する人にとっては発汗は不快感を有するものでもある。とりわけ精神的要因や神経疾患などによって発汗量が異常に増加する多汗症では、日常生活に支障をきたす場合が多い。
【０００３】
局所性多汗症の治療方法としては、塩化アルミニウム水溶液、グルタルアルデヒド、タンニン酸などの外用制汗剤を局所的に塗布する方法や、抗コリン作用剤の投与などの薬物療法がある。しかし、このような薬物の投与では、皮膚炎が発症したり、皮膚が褐色に変色するといった副作用が起きる可能性がある。
また、多汗症の外科的な治療方法としては、汗腺部の切除などがあるが、費用が多額になるだけでなく、健常皮膚の切除を行うことになるので決して好ましい方法とはいえない。
【０００４】
近年、多汗症治療方法として、発汗部位（とりわけ腋窩）にボツリヌス毒性製剤（ボトックス（登録商標）、Ａ型ボツリヌス毒素製剤）を真皮深層へ注入する治療方法が、美容外科や皮膚科などの医療分野で実施されている。
この治療方法では、ボツリヌス毒性製剤を所定の間隔をおいて皮内注射するために、注射に先立って、皮膚表面に注射位置の目安となるマーキングが施される。
例えば腋窩へのボツリヌス毒性製剤の投与では、図９に模式的に示すように、剃毛処理を施した腋窩の皮膚表面１００に対して、腋（脇）毛の毛根が存在する範囲を取り囲む線１１０を油性ペンなどで描く。次いで、その範囲内を腋の皺に沿って５〜１０ｍｍ幅に区分けするように平行線１２０を描き、必要に応じてさらに横方向にも（直交格子を描くように）平行線を描く（図示せず）。描いた平行線同士の間の帯状領域に沿って、図９に示すように、注射針１３０を皮膚表面に平行に近い角度に寝かせた状態で穿刺し、真皮深層へボツリヌス毒性製剤を注入する。注入箇所の数は、個人差があるが、片腋当たり１０〜２５箇所程度である。
【０００５】
図９に示すような注入方法においては、皮膚表面への上記マーキングに先立って、発汗部位を特定するための処置を施す場合がある。該処置は、ヨウ素デンプン反応による発色を利用する処置であって、例えば、剃毛処理を施した腋窩の皮膚表面にヨード液を塗布し乾燥させ、その上にデンプン（粉体）をふりかけておくことによって、発汗部位が青紫〜赤褐色に発色するので、発汗部位を知ることができるというものである。このような手法を加えれば、薬剤を注入すべき治療すべき部位をより確実に知ることができる。
発汗部位が特定された後は、図９のとおり、発色した領域を取り囲む線１１０と平行線１２０を油性マーカー（油性インクペン）などで描き、注射針１３０を穿刺し、真皮深層へボツリヌス毒性製剤を注入すればよい。
【０００６】
また、上記のようなマーキング作業を補助するためのマーキング用具として、特許文献１に示すようなマーキング用のテンプレート（型板）が提案されている。該テンプレートは、皮膚面に所定のピッチにて等間隔にドットを描くための一種の製図用具であって、プラスチック製の板の主面に所定のピッチにて行列状をなすように多数の貫通孔が等間隔に設けられたものである。このテンプレートの板面をマーキングすべき皮膚表面に当てて、該テンプレートの各貫通孔に油性マーカーのペン先を挿入し皮膚表面に点を描いて行くことで、点の群を皮膚表面に所定のピッチにて行列状をなすように比較的簡単に描くことができるようになっている。
【先行技術文献】
【特許文献】
【０００７】
【特許文献１】特表２００７−５２３６８９号公報
【発明の概要】
【発明が解決しようとする課題】
【０００８】
しかしながら、本発明者らが、ボツリヌス毒性製剤の発汗部位への注入のための上記前処理の実際の作業を詳細に検討したところ、ヨウ素デンプン反応のためのヨードの塗布・乾燥や、デンプンの粉体を均一にふりかける作業には手間がかかり、またその後、発汗によって変色した部位に格子状やドット状のマーキングを施す作図の作業も、たとえテンプレートを用いたとしても、医療現場の医師や看護士等にとっては面倒な作業であることがわかった。
また、皮膚に付着したヨウ素デンプン反応の変色や、油性マーカーによる皮膚表面へのマーキングは、洗っても落ち難く、患者にとって好ましいものではないこともわかった。
【０００９】
上記のような問題は、ボツリヌス毒性製剤の注入のみならず、種々の発汗抑制剤を皮膚表面の発汗部位に分散させて投与するような場合には同様に生じる問題である。
【００１０】
本発明の課題は、上記問題を解決し、過剰な発汗を抑制する治療を行う際に、発汗部位を特定するための試薬の塗布作業や、その後の薬物投与の位置決めのためのマーキングの手間を無くし、簡単に発汗部位を特定し得、その部位に簡単に所定の間隔で薬物投与を行うことができるようにすることにある。
【課題を解決するための手段】
【００１１】
本発明者らは、上記課題を解決すべく鋭意検討を行った結果、汗が染み込んだ部分と染み込んでいない部分とを目視で判別し得る吸液性シートをフィルムドレッシングの粘着面に積層すると共に、注射針を所定の等間隔にて皮膚に穿刺し得るように位置決め用の貫通孔を該フィルムドレッシングに形成することによって上記課題を解決できることを見い出し、本発明を完成するに至った。
【００１２】
本発明は、以下の特徴を有するものである。
（１）フィルム本体と、該フィルム本体の一方の主面に設けられた第一の粘着剤層とを有してなるフィルムドレッシング本体を有し、さらに、
前記第一の粘着剤層の粘着面の一部の領域には、汗が染み込むことで光透過率または光反射率が変化し、該汗の染み込みを視認し得る吸液性シートが設けられ、該粘着面の残部の領域は、生体の皮膚表面に粘着するための粘着面となっており、
前記フィルムドレッシング本体と吸液性シートとを貫通する貫通孔が、複数形成されており、前記フィルムドレッシング本体を吸液性シートと共に生体の皮膚表面に貼付したときに、該貫通孔内に該皮膚表面が露出するようになっている、
発汗視認機能と貫通孔とを備えたフィルムドレッシング。
（２）フィルム本体と、該フィルム本体の一方の主面に設けられた第一の粘着剤層とを有してなるフィルムドレッシング本体を有し、さらに、
前記第一の粘着剤層の粘着面の全面には、汗が染み込むことで光透過率または光反射率が変化し、該汗の染み込みを視認し得る吸液性シートが設けられ、
該吸液性シートの外面の一部または全部には、生体の皮膚表面に粘着するための第二の粘着材層が設けられており、該第二の粘着材層は、該皮膚表面に粘着した状態において、該皮膚表面から分泌される汗を吸液性シートに到達させ得るように形成された層であり、
前記フィルムドレッシング本体から第二の粘着材層までを貫通する貫通孔が、複数形成されており、前記フィルムドレッシング本体を吸液性シートと共に生体の皮膚表面に貼付したときに、該貫通孔内に該皮膚表面が露出するようになっている、
発汗視認機能と貫通孔とを備えたフィルムドレッシング。
（３）吸液性シートの外面の一部または全部には、さらに、生体の皮膚表面に粘着するための第二の粘着材層が設けられており、
該第二の粘着材層は、該皮膚表面に粘着した状態において、該皮膚表面から分泌される汗を吸液性シートに到達させ得るように形成された層であり、
前記フィルムドレッシング本体から第二の粘着材層までを貫通する貫通孔が、複数形成されており、前記フィルムドレッシング本体を吸液性シートと共に生体の皮膚表面に貼付したときに、該貫通孔内に該皮膚表面が露出するようになっている、上記（１）記載のフィルムドレッシング。
（４）吸液性シートが、第一の粘着剤層の粘着面の外周縁部を除く中央領域を覆って設けられている、上記（１）または（３）に記載のフィルムドレッシング。
（５）吸液性シートが、脂取り紙であるか、または、脂取り紙として使用され得る多孔性シートである、上記（１）〜（４）のいずれかに記載のフィルムドレッシング。
（６）第二の粘着剤層が、下記（Ａ）または（Ｂ）の粘着剤層である、上記（２）または（３）記載のフィルムドレッシング。
（Ａ）該吸液性シートの外面に所定のパターンを描くように粘着剤が設けられ、該外面が該パターンの間に露出しており、その露出した部分において、生体の皮膚表面から分泌される汗が吸液性シートに到達し得るようになっている第二の粘着剤層。
（Ｂ）汗を透過させ得る多孔性組織を有する第二の粘着剤層。
（７）上記（Ｂ）の多孔性組織を有する第二の粘着剤層が、スプレー塗工にて粘着剤を繊維状にして堆積させた繊維状組織を有する粘着剤層である、上記（６）記載のフィルムドレッシング。
（８）フィルム本体の主面の面積が２０００〜１００００ｍｍ2であって、当該フィルムドレッシングに形成される貫通孔の数が１０〜１５０である、上記（１）〜（７）のいずれかに記載のフィルムドレッシング。
（９）貫通孔の開口形状が、直径４〜２０ｍｍの円形である、上記（１）〜（８）のいずれかに記載のフィルムドレッシング。
（１０）貫通孔が、ボツリヌス毒素製剤を皮内注射するための注射針を通過させるためのものである、上記（１）〜（９）のいずれかに記載のフィルムドレッシング。
（１１）さらに、上記フィルム本体の他方の主面を覆って設けられた剥離可能な裏打ちシートと、当該フィルムドレッシングの粘着面を少なくとも覆って設けられた剥離シートとを有する、上記（１）〜（１０）のいずれかに記載のフィルムドレッシング。
【発明の効果】
【００１３】
本発明による発汗視認機能と貫通孔とを備えたフィルムドレッシング（以下、「本発明によるフィルムドレッシング」または「当該フィルムドレッシング」とも呼ぶ）は、図１に示すように、フィルムドレッシング本体Ａの粘着面２ａに吸液性シート３が積層されており、皮膚面から分泌された汗が直接的にまたは後述の第二の粘着剤層４を通して該吸液性シートに染み込むことが可能なように構成されている。そして、当該フィルムドレッシングには、多数の貫通孔Ｈが所定の等間隔（薬剤の投与に適した間隔）で設けられており、皮膚表面に貼付したときに、該皮膚表面が該貫通孔Ｈ内に露出し、注射針を穿刺し得るようになっている。
ここで、前記の吸液性シート３は、汗を吸収し得、汗が染み込むことで光透過率や光反射率が変化するような素材からなるシートである。例えば、紙や布が水などの液体に濡れると、光透過率または光反射率の変化に起因して、その部分が半透明になったり色が暗くなったりする。それと同様に、吸液性シート３の素材には、汗が染み込んだ部分と汗が染み込んでいない部分とで、光透過率または光反射率の変化に起因する外観的な差異（半透明になったり色が暗くなったりする差異）が現れる素材が用いられている。
上記の構成によって、当該フィルムドレッシングを腋窩などの治療対象部位に、吸液性シートが皮膚表面側となるように貼付すると、吸液性シートにおいて汗が染み込んだ領域が、図２（ｂ）にハッチングを施した領域Ｓとして示すように、半透明などに変化するので、目視によって発汗部位を容易に特定することができる。そして、特定された発汗部位の領域Ｓ内に存在する貫通孔（図２（ｂ）に×印を施した貫通孔）を通して、ボツリヌス毒素製剤などの多汗症治療薬を皮内注入することができる。
つまり、当該フィルムドレッシングは、使用者に発汗部位を表示する機能と、貫通孔によって皮膚表面上における薬剤の投与位置（注射針の穿刺位置など）を定める機能とを備えたフィルムドレッシングである。当該フィルムドレッシングを治療対象部位に貼付するだけで発汗部位が特定できるので、ヨード液の塗布・乾燥やその上へのデンプンの散布などの手間のかかる前処理が根本的に不要である。また、当該フィルムドレッシングには多数の貫通孔が所定の間隔で設けられているので、発汗部位を特定したそのままの状態で、貫通孔から注射や塗布などで薬剤を皮内に投与することが可能となっており、従来のように皮膚表面に目印の線を描いたり、テンプレートを用いて目印の点を描く必要が無い。
以上のように、当該フィルムドレッシングは、治療対象部位に貼付するだけで、発汗領域が特定できかつその状態のままでその発汗領域に等間隔に薬物を投与することができるので、従来の薬物投与の手順と比べて極めて簡単なものとなっている。
【図面の簡単な説明】
【００１４】
【図１】図１は、本発明によるフィルムドレッシングの積層構造を例示する断面図である。図１（ａ）は、本発明の第一の態様を示しており、吸液性シートが、第一の粘着剤層の粘着面の一部の領域に設けられている。図１（ｂ）は、本発明の第二の態様を示しており、吸液性シートが、第一の粘着剤層の粘着面の全面に設けられている。これらの図では、積層構造を分り易く示すために、各層の層厚を誇張して厚く描いている。また、貫通孔の数は１つの断面に２つだけ描いている。また、貫通孔を分り易く示すために、貫通孔内に本来描くべき層同士の間の境界線を省略している。
【図２】図２は、本発明によるフィルムドレッシングの作用を説明する図であって、皮膚表面に貼付した当該フィルムドレッシングを外界側から見た図である。
【図３】図３は、本発明によるフィルムドレッシングの第一の態様における吸液性シートの態様を例示する図である。吸液性シートの外面（貼付時に皮膚側を向く面）を見た図である。吸液性シートに設けた多数の正方形の貫通孔内に露出した第一の粘着剤層の粘着面にはハッチングを施している。
【図４】図４は、本発明によるフィルムドレッシングに設けられる第二の接着剤層の他の態様を示す断面図である。
【図５】図５は、本発明によるフィルムドレッシングに設けられる第二の接着剤層の粘着面を見た図であって、該第二の接着剤層の形成パターンを例示する図である。
【図６】図６は、本発明によるフィルムドレッシングに設けられる貫通孔の配置パターンを例示する図である。
【図７】図７は、本発明によるフィルムドレッシングに設けられる貫通孔の開口形状を例示する図である。
【図８】図８は、本発明によるフィルムドレッシングの製品の形態の一例を示す図であって、剥離シートと裏打ちシートが設けられた状態を示している。図８（ａ）は、裏打ちシートの外面を見た図であり、図８（ｂ）は、図８（ａ）のＸ−Ｘ断面矢視図であり、図８（ｃ）は、剥離シートの外面を見た図である。図８（ｂ）では各層の厚さを誇張して描いているために、例えば、吸液性シート３の両端部が第一の粘着剤層２の粘着面に対して大きな段差となっているが、実際には、吸液性シート３は十分に薄いものである。よって、実際には、剥離シート５は、該段差を覆う部分において同図のように極端に屈曲するようなことはない。
【図９】図９は、従来において、腋窩にボツリヌス毒性製剤を等間隔に皮内注射する際の皮膚表面へのマーキングの様子を示す図である。
【発明を実施するための形態】
【００１５】
以下、実施例を示しながら、本発明の構成例を詳細に説明する。
本発明によるフィルムドレッシングは、図１（ａ）、（ｂ）に実施態様を例示するように、フィルム本体１と、該フィルム本体の一方の主面１ａに設けられた第一の粘着剤層２とを有してなるフィルムドレッシング本体Ａと吸液性シート３と貫通孔Ｈとを必須の構成として有し、吸液性シートによる発汗視認機能と、貫通孔による薬物投与の位置決め機能とを備えたものである。
本発明の第一の態様では、図１（ａ）に示すように、第一の粘着剤層２の粘着面２ａの一部の領域に吸液性シート３が設けられている。該粘着面２ａの残部の領域（露出した領域）は、生体の皮膚表面に粘着するための粘着面となっている。吸液性シート３は、汗を吸収し得、該汗が染み込むことで光透過率または光反射率が変化する素材からなるシートである。そして、前記フィルムドレッシング本体Ａと吸液性シート３とを貫通する貫通孔Ｈが複数形成されており、当該フィルムドレッシングを生体の皮膚表面に貼付したときに、該貫通孔内に該皮膚表面が露出するようになっている。
また、本発明の第二の態様では、図１（ｂ）に示すように、第一の粘着剤層２の粘着面２ａの全面に前記吸液性シート３が設けられている。よって、第二の態様では、当該フィルムドレッシングを皮膚表面に貼付し得るように、吸液性シート３の外面３ａの一部または全部に第二の接着剤層４が設けられている。そして、フィルムドレッシング本体Ａから第二の粘着材層４までを貫通する貫通孔が複数形成されており、当該フィルムドレッシングを生体の皮膚表面に貼付したときに、該貫通孔内に該皮膚表面が露出するようになっている。
【００１６】
第一の態様と第二の態様との差異は、第一の態様では吸液性シート３がフィルムドレッシング本体Ａの粘着面２ａの一部を覆っている（即ち、該粘着面２ａの残部が露出し皮膚表面への貼付に寄与する）のに対して、第二の態様では吸液性シート３がフィルムドレッシング本体Ａの粘着面２ａの全面を覆っているという点にある。よって、第二の態様では、当該フィルムドレッシングを皮膚表面に貼付し得るように、第二の接着剤層４がさらに設けられている。
第二の接着剤層４は、皮膚表面から分泌される汗を吸液性シートに到達させ得るように形成されており、よって、自体が吸液性シート３に汗が染み込む際の障害とならないようになっている（具体的な構成は後述する）。
また、第一の態様においても、貼付時に吸液性シートが皮膚表面から浮き上がらないように、吸液性シート３の外面３ａの一部または全部に、さらに第二の接着剤層４を適宜設けてもよい。そのような場合、第一の態様と第二の態様との構造上の差異は、フィルムドレッシング本体の粘着面２ａが部分的に露出しているか全て吸液性シートに覆われているか（粘着面２ａが貼付に寄与するかどうか）の差異となる。
以下の説明では、第一の態様を代表例として図に示しながら本発明の構成を説明するが、吸液性シート自体を除く各部の説明は、第二の態様でも同様である。尚、第二の態様においてのみ採用可能な構成（例えば、第一粘着剤層の材料など）については、適宜言及する。
【００１７】
（フィルム本体）
フィルムドレッシング本体Ａを構成するフィルム本体１の材料は、貼付すべき皮膚表面の凹凸に沿って密着し得る可撓性を有するものであることが好ましく、例えば、アクリル系重合体、ポリエチレン、ポリエステル、ポリ塩化ビニル、ポリ塩化ビニリデン、ポリアミド、ポリビニルアルコール、セロハン、エチレン−酢酸ビニル共重合体、ポリプロピレン、ポリウレタン、ポリエーテルポリエステル、ポリアミドなどの重合体、または、それらの誘導体が挙げられる。これらの材料のなかでも、アクリル系重合体、ポリウレタン、ポリエーテルポリエステルおよびポリアミドなどの重合体、または、それらの誘導体は、透明性を有しているので貼付場所を見ながら貼付することができ、吸液性シートの光透過率や光反射率の変化を外側から十分に観察し得るという理由から、特に好ましいものである。また、当該フィルムドレッシングを貼付した状態で発汗を促進させるという観点から、フィルム本体の材料は、透湿性が低いものが好ましい。
【００１８】
フィルム本体の厚さは、材料の柔軟性や機械的強度によっても異なるが、貼付すべき皮膚表面の凹凸に柔軟に沿って密着し得る厚さであることが好ましく、上記のような材料であれば、１０〜１５０μｍが好ましい厚さであり、１５〜７５μｍがより好ましい厚さである。
【００１９】
フィルム本体の外周形状（＝後述の剥離シートや裏打ちシートを除去したときの、当該フィルムドレッシングの外周形状）は、特に限定はされず、治療の対象となる皮膚面を覆い、必要に応じてさらに外周縁に粘着面となる領域を加えた形状が好ましい。具体的な好ましい外周形状としては、例えば、正方形、長方形、楕円形、長円形（長方形の長手方向の両端の辺（短辺）が外側に膨れた半円となっている形状）などが挙げられる。正方形や長方形の場合の角部は、直線的な面取りや丸みを付けてもよい。また、比較的大きい外周形状のシートを医療の現場に提供し、治療の対象となる皮膚面の領域に応じて、医師等の医療従事者が適宜切り出す態様としてもよい。
具体的な大きさとしては、例えば、治療の対象となる部位が腋窩であって、フィルム本体の外周形状が長方形（縦横比の一例は、（長辺１：短辺０．６）〜（長辺１：短辺０．８）程度）である場合、長辺の長さは５０〜１２０ｍｍ程度が好ましい。他の外周形状の場合も、前記の長方形の面積と同程度のものが好ましい。
【００２０】
（第一の粘着剤層）
第一の粘着剤層の材料は、従来公知の医療用等のフィルムドレッシングの粘着剤層の材料を用いることができ、各種の感圧性粘着剤、例えば、天然ゴム系、合成ゴム系、アクリル系、シリコーン系、ビニルエーテル系などの粘着剤が好ましいものとして挙げられる。
なお、本発明では、発汗による吸液性シートの光透過率や光反射率の変化をフィルムドレッシング本体を通して外部から判別する必要がある。また、第一の粘着剤層の材料が吸液性シートに染み込んで、該吸液性シートの吸液性を阻害することがないようにすべきである。よって、透明性の確保や、皮膚表面に与える刺激を低減する点、吸液性シートへの浸透を抑制する点からは、アクリル系粘着剤が特に好ましい。
【００２１】
第一の粘着剤層をフィルム本体の一方の主面に形成する方法は、従来公知の製造方法を参照すればよく、例えば、粘着剤組成物をフィルム本体の一方の主面に直接塗布する方法や、別工程において剥離処理を施した支持体シートなどの上に塗工し形成した粘着剤層をフィルム本体上に転写する方法などが挙げられる。
第一の粘着剤層の厚さは特に限定はされないが、第一の態様において、皮膚表面への粘着をも目的とする場合には、１０〜６０μｍ程度が好ましく、２０〜５０μｍ程度がより好ましい厚さである。
一方、第二の態様の場合、第一の粘着剤層は、吸液性シートをフィルム本体に積層するためだけの接着剤層であり、皮膚表面には接触しない。よって、第二の態様では、第一の粘着剤層は、上記した粘着剤層の材料に加えて、吸液性シートの吸液性に影響を与えないような接着剤であってもよい。そのような接着剤としては、天然ゴム系、合成ゴム系、アクリル樹脂系、エチレン／酢酸ビニル系、ポリウレタン系、シリコーン系、ビニルエーテル系、エポキシ系などの接着剤が挙げられる。
第二の態様では、第一の粘着剤層の厚さは、１〜２００μｍ程度が好ましく、５〜１００μｍ程度がより好ましい厚さである。
【００２２】
（吸液性シート）
吸液性シートは、汗が染み込むことができ、該汗が染み込むことによって光透過率や光反射率が変化するシートであればよい。そのような作用を示す素材としては、紙（合成紙を含む）、布、不織布などが代表的なものとして挙げられるが、ポリエチレン、ポリプロピレン、ポリエステル、フッ素系樹脂、ポリウレタン、シリコーン系樹脂などの多孔性の素材からなるシートであってもよい。
上記の素材のなかでも、薄く可撓性に優れる点からは、洋紙、和紙、合成紙などの紙が好ましい。とりわけ、化粧品雑貨として用いられている脂取り（あぶらとり）紙、または、該脂取り紙の代替品として使用され得る多孔性シートは、薄く可撓性に優れ、汗をスムーズに吸収し、汗が染み込むことによって光透過率が高くなり半透明になるので、発汗部位を判定し得る素材として好ましいものとして例示される。
【００２３】
前記脂取り紙は、例えば、パルプなどを原料とする洋紙、楮(こうぞ)、三椏(みつまた)などを原料とする和紙、合成樹脂を主原料とする合成紙などを用いたものであってよい。また、ポリエチレン、ポリプロピレン、ポリエステル、フッ素系樹脂、ポリウレタン、シリコーン系樹脂などの多孔性のシートも、脂取り紙の代替品として使用され得るものとして挙げられる。いずれの場合も、汗をよりスムーズに吸収し、汗が染み込むことによって光透過率や光反射率がより大きく変化するものが好ましい。
【００２４】
脂取り紙として用いられているものの中には、皮脂を吸収した事実を視覚的に確認し得る性質（視認性）が改善され、皮膚面に分泌した皮脂が微量であってもより顕著に透明化するよう構成されたものが知られている（例えば、特開２００７−１９０１４６「脂取り紙」、特開２００８−１８３３８４「脂取り紙」、特開２００２−１７４４５「化粧用脂取りシート」、特開平１１−２３９５１７「化粧用脂取りシート」）。
これらの脂取り紙が吸収対象とする分泌物は皮脂であるが、本発明者らの研究によれば、汗に対しても好ましい視認性を示すので、本発明における吸液性シートとして利用可能である。
【００２５】
吸液性シートの厚さは、特に限定はされないが、皮膚表面の凹凸に適度に沿う（柔軟である）という点や、汗のような微量の液体であってもフィルムドレッシング側の主面に到達し得る（光透過率や光反射率が変化する）という点からは、２０〜２００μｍが好ましく、５０〜１５０μｍがより好ましい厚さである。吸液性シートが過度に薄いと、そもそも透明に近いので光透過率や光反射率の変化の判別が困難になり、吸液性シートが過度に厚いと、皮膚表面の凹凸に沿い難くなりかつ汗がフィルムドレッシング側の主面に到達し難く、光透過率や光反射率の変化がフィルムドレッシング側の主面に現れ難いので、発汗部位の判別が困難になる。
【００２６】
吸液性シートの色は、白色であれば、汗が染み込むことによって光透過率が高くなり、皮膚表面の色がよく透けて見え、また、光反射率が低下し暗い色（灰色）に変化するので、発汗部位の判別が容易であり好ましい。また、水色、ピンク、黄色などの薄い有色であっても、汗が染み込むことによって光反射率が低下し暗い色に変化するので、発汗部位の判別が容易であり好ましい。
【００２７】
本発明の第一の態様では、吸液性シートは、第一の粘着剤層の粘着面の「一部」の領域を覆う層として設けられる。吸液性シートの本来の目的は、発汗部位を検出し示すことであるから、該粘着面をより広範囲に覆っていることが好ましい。よって、図１（ａ）に示すように、吸液性シート３を、第一の粘着剤層２の粘着面２ａの外周縁部を除く中央領域を全て覆うように設ける態様が好ましい。この場合、外周縁部に粘着面として露出する帯状領域の帯幅は、５〜２０ｍｍ程度であればよい。
【００２８】
吸液性シートがより広範囲であることが好ましい一方で、該粘着面２ａを皮膚表面への粘着面として用いるためには、該粘着面２ａはできるだけ広範囲に露出していることが好ましい。これらの相反する要求を満たす構成例として、図３に示すように、吸液性シート３に多数の貫通孔（図の例では開口形状はハッチングを施した正方形）３ｈを設けることによって、該吸液性シート３を網状（図の例では格子網）とする態様が挙げられる。
このような態様も、第一の粘着剤層の粘着面２ａの「一部」の領域に吸液性シートを設ける態様である。これによって、吸液性シート３を広範囲に設けて発汗部位を示すようにしながら、粘着面２ａをも吸液性シート３の貫通孔３ｈによって広範囲に露出させることが可能となる。
【００２９】
図３に示すように、吸液性シート３に貫通孔３ｈを設ける場合、該貫通孔３ｈの開口形状や開口面積、分散の度合いは、露出する粘着面による皮膚表面への粘着性と、吸液性シートの発汗部位に対する視認性とのバランスを考慮して、適宜決定すればよい。
図３の例では、吸液性シート３の貫通孔３ｈの位置と、当該フィルムドレッシング全体に設けられる貫通孔Ｈの位置とは、互いに関連付けられていない。このような構成は製造が容易である。一方、隣り合った貫通孔Ｈから等しい位置に、吸液性シート３の貫通孔３ｈを１つ配置して粘着面を露出させる、貫通孔Ｈを取り囲む同心円状に吸液性シート３の貫通孔３ｈを設けるなど、吸液性シート３の貫通孔３ｈの位置と、当該フィルムドレッシングの貫通孔Ｈの位置とを互いに関連付けてもよい。
【００３０】
吸液性シートを第一の粘着剤層の粘着面に貼り合わせる方法としては、特に限定はされず、従来公知の積層方法を用いてよいが、例えば、ロールによるドライラミネート法、加熱ラミネート法、ウエットラミネート法などが挙げられる。なお、製品仕様のサイズに裁断した吸液性シートを、第一の粘着剤層の粘着面に１枚ずつ貼り合わせてもよい。
【００３１】
（第二の粘着材層）
本発明の第二の態様では、吸液性シートが第一の粘着剤層の粘着面を全面的に覆っているので、皮膚表面への粘着のために第二の粘着材層が必須である。一方、本発明の第一の態様でも、吸液性シートが第一の粘着剤層の粘着面を広く覆うと、該吸液性シートが皮膚表面から浮き上がる場合がある。よって、本発明の第一の態様でも、図４（ａ）に示すように、該吸液性シート３の外面３ａに第二の粘着材層４を必要に応じて設けてよい。
第二の粘着材層は吸液性シートの外面を覆う層であるから、吸液性シートの直下の皮膚表面から分泌される汗が該吸液性シートに到達し得るように、即ち、発汗部位の検出を妨げないように構成すべきである。
そのような第二の粘着剤層としては、下記（Ａ）または（Ｂ）の態様が好ましいものとして挙げられる。
（Ａ）図４（ａ）、（ｂ）に示すように、吸液性シート３の外面３ａに、所定のパターンを描くように第二の粘着剤４が部分的に設けられ、吸液性シート３の外面３ａが第二の粘着剤４の形成パターンの間に露出しており、その露出した部分において、皮膚表面からの汗が吸液性シート３に到達し得るようになっている態様。
（Ｂ）第二の粘着剤層自体が、汗を透過させ得る多孔性組織によって形成された層である態様。
【００３２】
第二の粘着剤層が上記（Ａ）の態様であれば、第二の粘着剤層４が吸液性シート３の外面３ａに広範囲に設けられるので、皮膚表面に好ましく粘着し、しかも、吸液性シート３の外面３ａが広範囲に露出するので、発汗部位の検出が阻害されない。
吸液性シート３の外面３ａに、第二の粘着剤層４を所定のパターンを描くように部分的に設ける場合の形成パターンは、特に限定はされないが、例えば、図５（ａ）に示すような波状に蛇行したストライプパターン（波状に蛇行した帯状の塗工部分と、波状に蛇行した帯状の非塗工部分とが、交互に配置されてなる縞模様のパターン）や、図５（ｂ）に示すような直線的なストライプパターン、その他、三角波状に蛇行したストライプパターン、粘着剤を設けた領域が網状となったパターン、粘着剤がドット状に形成され水玉模様のように分散しているパターン（粘着剤の無い領域が網目状となったパターン）などが挙げられる。
【００３３】
粘着剤を図５のように特定のパターンを描くように形成するための方法は、特に限定はされないが、好ましい方法としては、例えば、特開平１０−３２８２３１「粘着シート」に記載された「櫛掻法」が挙げられる。
該櫛掻法の概略的な加工手順は、（１）所定のライン速度で連続的に走行する仮基材シートの上面に粘着剤塗料を塗布し、（２）次いで、該仮基材シートの進行方向に対して垂直の方向に所定の速度で往復動する多数の掻き足を有する櫛にて、前記の塗布された粘着剤塗料層を波状のストライプ状に掻取って除去し（即ち、粘着剤塗料層が波状のストライプ状として残し）、（３）最後に仮基材シート上に残存する波状の粘着剤塗料層を乾燥させ、それを形成目的とする面（吸液性シートの外面）に転写する、というものである。
この方法において櫛の動きを止めたり、移動方向を急激に反転させれば、粘着剤層は直線的なストライプパターンや種々の波状のストライプパターンとなる。
【００３４】
第二の粘着剤層が上記（Ｂ）の態様であれば、第二の粘着剤層４自体がそもそも汗を通過させ得る組織からなる層であるので、図４（ｃ）に示すように、第二の粘着剤層４を吸液性シート３の外面３ａに全面的に設けながらも、発汗部位の検出が阻害されない。
上記（Ｂ）の態様のような、多孔性組織を有する第二の粘着剤層としては、例えば、スプレー塗工にて粘着剤を繊維状にして堆積させてなる不織布状組織からなる粘着剤層の態様が挙げられる。このような不織布状組織を持った粘着剤層およびその製造方法としては、例えば、特開平６−１０８０１８「通気性粘着層の製造方法、粘着シート及び通気性素材」、特開平７−１０９９４４３「通気性粘着シート」などに記載された素材や製造方法（メルトブローによる粘着剤の繊維化）を参照することができる。
これらの特許公報に記載された粘着シートは、粘着性と通気性とを有することを特徴としているが、汗を通過させる性質をも十分に有しており、本発明における第二の粘着剤層として好ましく利用することができる。
【００３５】
本発明でいう「（Ａ）または（Ｂ）の粘着剤層」とは、上記（Ａ）、（Ｂ）の態様を同時に実施した粘着剤層をも含む。そのような粘着剤層（汗を透過させ得る多孔性組織を持った粘着剤層を、所定のパターンを描く層として形成する態様）は、上記（Ａ）の粘着剤層であり、また、上記（Ｂ）の粘着剤層であるので、好ましい。
【００３６】
（貫通孔）
貫通孔は、当該フィルムドレッシングを皮膚表面に貼付したときに、必要とされる薬物投与間隔にて皮膚表面を露出させ、かつ、注射針の穿刺や経皮投与のために好ましい大きさの開口を有するものであればよい。特に、背景技術の説明において述べたとおり、従来、ボツリヌス毒素製剤を皮内注射するためには、皮膚表面に対して手間のかかる前処理が必要であった。よって、本発明において設けられる貫通孔は、ボツリヌス毒素製剤を皮内注射するための注射針の穿刺に適したものとなるように設けることが好ましい。
本発明の第一の態様では、図１（ａ）に示すように、貫通孔Ｈは、フィルムドレッシング本体Ａと吸液性シート３とを貫通する。貫通孔Ｈは、その全長にわたって同じ開口形状である必要はない例えば、図１（ａ）において、フィルム本体１の貫通孔Ｈと吸液性シートの貫通孔Ｈとが別個に形成され、フィルム本体１の貫通孔Ｈの開口よりも、吸液性シート３の貫通孔Ｈの開口の方が大きいような構造であっても、該貫通孔Ｈは、フィルムドレッシング本体と吸液性シートとを貫通するものとみなすことができる。
使用者にとって位置決めや薬物投与のために重要な開口の大きさや配置パターンは、図１（ａ）、（ｂ）におけるフィルム本体１の外界側の主面１ｂ（以下、「フィルム本体の背面」ともいう）に現れる開口であるから、吸液性シート３などの下層が貫通孔Ｈの内部に張り出すことのないようにすることが好ましい。
本発明の第二の態様の場合も同様であって、貫通孔Ｈは、フィルムドレッシング本体Ａから第二の粘着剤層４までを貫通するが、図１（ｂ）、図４（ｂ）に示すように、第二の粘着剤層４が貫通孔Ｈを避けるように形成されている構造（フィルム本体１の貫通孔Ｈの開口よりも、第二の粘着剤層の貫通孔Ｈの開口の方が大きいような構造）でも、貫通孔Ｈは、フィルムドレッシング本体Ａから第二の粘着剤層４までを貫通するものとみなすことができる。
また、本発明の第一の態様において、図４（ａ）に示すように、第二の粘着剤層４がさらに設けられた場合も、第二の態様と同様、貫通孔Ｈは、フィルムドレッシング本体Ａから第二の粘着剤層４までを貫通するものとみなすことができる。
【００３７】
貫通孔Ｈの配置パターンや配置間隔は、医療上必要とされる薬物の投与間隔、例えば、多汗症治療のためにボツリヌス毒素製剤を皮内注射する際に適切とされる穿刺間隔に応じて決定すればよい。
貫通孔Ｈの好ましい配置パターンとしては、図６（ａ）に示すような、正三角形網（正三角形を網目の最小構成単位とする網状パターン）の交点（正三角形の各頂点）に貫通孔Ｈを配置するパターンや、図６（ｂ）に示すような、正方格子（正方形を網目の最小構成単位とする網状パターン）の交点（正方形の各頂点）に貫通孔Ｈを配置するパターンが挙げられる。
これらの中でも、図６（ａ）に示すような正三角形網の交点に貫通孔Ｈを配置するパターンは、１つの貫通孔と、その周囲６方向に隣り合って位置する貫通孔との間の中心間距離Ｐ１や、それら周囲の貫通孔同士の間の中心間距離Ｐ１も等しいので、等間隔に分散させて薬物を投与する点ではより好ましいパターンである。
【００３８】
図６（ａ）、（ｂ）に示すような、正三角形網や正方格子の交点に貫通孔Ｈを配置するパターンでは、貫通孔同士の間の中心間距離（正三角形や正方形の一辺の長さ）Ｐ１は、４〜２０ｍｍが好ましく、８〜１６ｍｍがより好ましい。
【００３９】
貫通孔Ｈの開口形状は、特に限定はされないが、例えば、図６（ａ）、（ｂ）に示すような円形、図７（ａ）に示すような楕円形、図７（ｂ）に示すような長円形、その他、正方形、長方形、菱形などが挙げられる。
貫通孔の開口の大きさは、薬剤の種類や投与の仕方によっても異なるが、開口形状が円形の場合、例えば、多汗症治療のためにボツリヌス毒素製剤を皮内注射するためには、直径２〜２０ｍｍ程度が好ましく、直径４〜１０ｍｍ程度がより好ましい。
尚、皮内注射において、注射針を皮膚表面に対して十分に寝かせて穿刺する場合、穿刺点の様子のみならず、皮膚内に入った注射針の様子をも皮膚表面の膨らみなどを通じて観察する必要があるなど、穿刺方向に関してある程度の大きさが必要とされる場合がある。このような場合、図７（ａ）、（ｂ）に示すような楕円形や長円形、または、細長い長方形であれば、貫通孔の開口面積を増大させることなく、穿刺方向により多くの皮膚表面を露出させることが可能になるので好ましい。このような楕円形、長円形、細長い長方形などの長手方向の寸法は４〜２０ｍｍ程度が好ましく、幅方向（短軸方向、短辺方向）の寸法は、該長手方向の寸法よりも短い寸法を、上記円形の直径から適宜選択すればよい。
【００４０】
貫通孔Ｈの数は、当該フィルムドレッシングを貼付すべき部位、薬剤の種類や投与の仕方、上記した貫通孔の配置パターンとフィルム本体の外形によっても異なるが、フィルム本体の主面の面積が２０００〜１００００ｍｍ2である場合には、当該フィルムドレッシングに形成される貫通孔の数は１０〜１５０程度が好ましい。より具体的には、多汗症治療のためにボツリヌス毒素製剤を腋窩に皮内注射する場合の補助具としては、フィルム本体の背面の面積が４０００〜７０００ｍｍ2である場合、貫通孔の数は３０〜１００程度が好ましい。
【００４１】
貫通孔を形成する方法は、特に限定はされないが、例えば、ポンチ刃（ゼンマイ刃、トムソン刃）などによって打ち抜く方法や、ダイカットロールを用いた形成方法、レーザー加工による形成方法などが挙げられる。
【００４２】
（剥離シート）
当該フィルムドレッシングには、従来公知のフィルムドレッシングや粘着テープなどと同様、粘着面を少なくとも覆い、使用時に剥離可能な剥離シート（剥離ライナーとも呼ばれる）が設けられる。
本発明の第一の態様では、剥離シートは、図１（ａ）に示す第一の粘着剤層２の粘着面２ａと吸液性シート３の外面３ａとを覆う。また、第一の態様において、図４（ａ）に示すように、さらに第二の粘着剤層４が部分的に設けられる場合には、該剥離シートは、第一の粘着剤層２の粘着面と吸液性シート３の外面と、第二の粘着剤層４の粘着面とを覆う。また、図示していないが、第一の態様において、吸液性シートの外面に全面的に第二の粘着剤層が設けられる場合には、該剥離シートは、第一の粘着剤層の粘着面と第二の粘着剤層の粘着面とを覆う。
本発明の第二の態様では、剥離シートは、図１（ｂ）に示す第二の粘着剤層４の粘着面４ａと吸液性シート３の外面３ａとを覆う。また、第二の態様において、図４（ｃ）に示すように、吸液性シート３の外面に全面的に第二の粘着剤層４が設けられる場合には、該剥離シートは、第二の粘着剤層４の粘着面を覆う。
【００４３】
剥離シートのシート本体として用いられるシート状材料としては、プラスチックフィルム（例えば、ポリエチレン、ポリプロピレン、ポリエチレンテレフタレート、およびこれらの積層複合体など）、紙（例えば、上質紙、クラフト紙、グラシン紙など）、または、これらの積層フィルムなどが挙げられ、紙（例えば、上質紙、クラフト紙など）が好ましいシート状材料として挙げられる。
これらのシート状材料の表面に、シリコーン樹脂処理やフッ素樹脂処理などの剥離処理を施すことによって、剥離シートとすることができる。
剥離シートの厚さは、特に限定はされないが、１０〜２５０μｍが好ましく、２５〜２００μｍがより好ましく、５０〜１００μｍが特に好ましい。
【００４４】
（裏打ちシート）
当該フィルムドレッシングには、従来公知のフィルムドレッシングと同様、フィルム本体の背面を剥離可能に覆う裏打ちシートが設けられる。該裏打ちシートは、当該フィルムドレッシングを使用する前に、フィルム本体の背面に傷がついたり破損したりすることを防ぎ、過度に薄く柔軟であるために自己支持性に欠けた（所謂、腰のない）フィルム本体であっても、シワなどを生じないように当該フィルムドレッシングを皮膚表面へ貼付することができるようにするための層であって、該皮膚表面に貼付した後に剥離除去されるものである。
【００４５】
裏打ちシートのシート本体として用いられるシート状材料としては、プラスチックフィルム（例えばポリエチレン、ポリプロピレン、ポリエステル、または、これらの積層複合体など）、紙（例えば上質紙、クラフト紙など）などのシート状材料が挙げられ、好ましくは、伸縮が生じ難い２軸延伸ポリプロピレンフィルムやポリエステルフィルムが挙げられる。これらのシート状材料の表面に、ポリエステル、ポリオレフィン等の樹脂処理等を施すことによって、フィルム本体の背面に密着させても剥離可能な裏打ちシートを得ることができる。
裏打ちシートの厚さは、特に限定はされないが、１５〜２００μｍが好ましく、２０〜１００μｍ程度がより好ましい。
【００４６】
裏打ちシートを当該フィルムドレッシングに付与する方法としては、フィルム本体を剥離可能な裏打ちシートの片面に押し出し成形する方法や加熱圧着するなど、公知の積層方法で形成すればよい。このようにして裏打ちシートを背面に積層したフィルム本体を用意したのち、該フィルム本体の反対側の面に第一の粘着剤層を塗布形成し、さらに吸液性シートと剥離シートを順次貼り合わせるといった手順が挙げられる。
また、第二の粘着剤層を形成する場合には、剥離シートの上に該第二の粘着剤層を公知の方法により塗工し、この第二の粘着剤層を、剥離シートと共に吸液性シートに貼り合せるといった手順が挙げられる。
【００４７】
上記のようにして得られた裏打ちシートを有するフィルムドレッシングを得た後、本発明では粘着剤層面の一部を覆うように吸液性シートを積層し、さらにフルムから吸液性シートに至る貫通孔を複数個形成することによって、本発明によるフィルムドレッシングを得ることができる。
【００４８】
図８は、図１（ａ）に示す本発明の第一の態様に、好ましい取扱い性を持った剥離シートと裏打ちシートとを付与した実施例を示す図である。
同図の例では、使用者が剥離シート５を剥がし易いように、該剥離シートは中央で２つの部分５１、５２に分断されている。そして、その分断部では、両部分５１、５２のシートが延伸し、取っ手部５１ａ、５２ａとなっている。実際の剥離シートは十分に薄いので、取っ手部５２ａは鋭く折り返され、その上に取っ手部５１ａが膨れることなく乗り上げて重なっている。
また、フィルム本体の背面全体を覆う裏打ちシート６には、当該フィルムドレッシングを皮膚表面い貼付した後、該裏打ちシートを剥離し易いように、シート状の取っ手部６ａが接合されている。同図の態様では、貫通孔加工の手順の関係上、該裏打ちシート６にも貫通孔Ｈが設けられている。
図８の構成によって、剥離シートを素早く剥離し、当該フィルムドレッシングを好ましい取扱い性にて対象部位に貼付し、裏打ちシートを素早く剥がして皮膚表面の凹凸に沿わせ、吸液性シートの変化によって発汗部位を容易に特定し、その状態のままでボツリヌス毒性製剤の皮内注射を貫通孔を通して等間隔に行うことが可能となる。
【産業上の利用可能性】
【００４９】
上記のように、当該フィルムドレッシングは、治療対象部位に貼付するだけで、発汗部位の特定と薬物投与の位置決めが可能である。よって、従来の治療における発汗部位を特定するための手間、特定された発汗部位に対して等間隔に薬物を投与（とりわけ皮内注射）するための位置決めマーキングの手間が無くなり、発汗を抑制する治療を行う際の好ましい補助具となる。
【符号の説明】
【００５０】
１    フィルム本体
１ａ  フィルム本体の一方の主面
１ｂ  フィルム本体の他方の主面（背面）
２    第一の粘着剤層
２ａ  第一の粘着剤層の粘着面
３    吸液性シート
３ａ  吸液性シートの外面
４    第二の粘着剤層
Ａ    フィルムドレッシング本体
Ｈ    貫通孔
【図１】
2014168573.tif 000003
【図２】
2014168573.tif 000004
【図３】
2014168573.tif 000005
【図４】
2014168573.tif 000006
【図５】
2014168573.tif 000007
【図６】
2014168573.tif 000008
【図７】
2014168573.tif 000009
【図８】
2014168573.tif 000010
【図９】
2014168573.tif 000011